(57)【特許請求の範囲】
【請求項１】
カレンダを含むデータを表示する表示手段を備えている携帯電子機器において、
予め決められたスケジュール内容と、このスケジュール内容を想定し得る図柄で表現されたアイコンとが複数組対応づけて格納されているスケジュール内容記憶手段と、
前記表示手段に表示されているカレンダに、スケジュール内容を設定したい設定日を指定する設定日指定手段と、
前記スケジュール内容記憶手段に記憶されている複数のアイコンを前記表示手段に表示させる第１の表示制御手段と、
この第１の表示制御手段の制御により表示されている複数のアイコンの中から一つのアイコンを指定するアイコン指定手段と、
このアイコン指定手段により指定されたアイコンに対応するスケジュール内容を前記スケジュール内容記憶手段から読み出しこの読み出されたスケジュール内容と前記アイコン指定手段により指定されたアイコンとを、前記指定手段により指定された設定日にそれぞれ対応付けて記憶する記憶手段と、
この記憶手段に前記読み出されたスケジュール内容と前記指定されたアイコンとを対応付けて記憶した後に、当該第１の記憶手段に対応付けて記憶されているスケジュール内容と指定されたアイコンとを前記表示手段に表示させる第２の表示制御手段と、
この第２の表示制御手段の制御により表示されたアイコンの中から当該アイコンと対応付けて記憶されているスケジュール内容を変更しようとするアイコンを選択する選択手段と、
この選択手段により選択されたアイコンに対し、当該アイコンと対応付けて記憶されているスケジュール内容と異なるスケジュール内容を入力する入力手段と、
この入力手段により入力された前記異なるスケジュール内容と前記第２の表示制御手段の制御により表示されているアイコンとを対応付けて登録する登録手段と、
前記選択手段により選択されたアイコンに登録されたスケジュール内容が変更された旨を指示する変更フラグと前記入力手段により入力されたスケジュール内容とが格納されたスケジュール内容設定記憶手段と、
を具備することを特徴とする携帯電子機器。
【請求項２】
前記登録手段に対応付けて記憶されている前記異なるスケジュール内容を前記カレンダともに前記表示手段に表示させる第３の表示制御手段を更に具備することを特徴とする請求項１記載の携帯電子機器。
【請求項３】
前記スケジュール内容は、文字で表されていることを特徴とする請求項１又は２記載の携帯電子機器。
【請求項４】
前記スケジュール内容は、音声データであり、この音声データを発音する発音手段を更に具備することを特徴とする請求項１から請求項３のいずれかに記載の携帯電子機器。
【請求項５】
外部からの音声を入力する音声入力手段と、
前記スケジュール内容を前記音声入力手段から入力した音声データに置き換える置換手段とを更に具備することを特徴とする請求項４記載の携帯電子機器。
【発明の詳細な説明】
【０００１】
【産業上の利用分野】
本発明は、四則演算を行う電卓機能に加え、世界時計、住所録、メモ、スケジュール管理等を行う携帯電子機器に関する。
【０００２】
【従来の技術】
近年の携帯電子機器として、四則演算を行う電卓機能に加え、世界各地の時刻を表示したり、住所録、メモ、スケジュール管理等を行う多機能なものが知られている。このような携帯電子機器では、スケジュール管理機能においては、スケジュール内容をキー入力、ペン入力、あるいは音声入力等によって、文字または音声をその都度入力していた。
【０００３】
【発明が解決しようとする課題】
ところで、従来の携帯電子機器およびそのスケジュール管理方法では、スケジュール内容を直接入力するという構成になっていたため、以下の問題点があった。
（イ）キー入力、ペン入力、あるいは音声入力等では、その度にスケジュール内容を入力しなければならず、非効率的であり、手間がかかるという問題があった。
（ロ）また、入力した内容、すなわちスケジュール内容を一括して表示する場合には、表示画面の大きさに制限があるため、多くの情報を表示できないという問題があった。
【０００４】
そこで本発明は、スケジュール内容を容易に入力でき、かつ、スケジュール内容を一括して表示でき、また、スケジュール管理における操作性を向上できる携帯電子機器を提供することを目的とする。
【０００５】
【課題を解決するための手段】
上記目的達成のため、請求項１記載の発明による携帯電子機器は、カレンダを含むデータを表示する表示手段を備えている携帯電子機器において、
予め決められたスケジュール内容と、このスケジュール内容を想定し得る図柄で表現されたアイコンとが複数組対応づけて格納されているスケジュール内容記憶手段と、
前記表示手段に表示されているカレンダに、スケジュール内容を設定したい設定日を指定する設定日指定手段と、
前記スケジュール内容記憶手段に記憶されている複数のアイコンを前記表示手段に表示させる第１の表示制御手段と、
この第１の表示制御手段の制御により表示されている複数のアイコンの中から一つのアイコンを指定するアイコン指定手段と、
このアイコン指定手段により指定されたアイコンに対応するスケジュール内容を前記スケジュール内容記憶手段から読み出しこの読み出されたスケジュール内容と前記アイコン指定手段により指定されたアイコンとを、前記指定手段により指定された設定日にそれぞれ対応付けて記憶する記憶手段と、
この記憶手段に前記読み出されたスケジュール内容と前記指定されたアイコンとを対応付けて記憶した後に、当該第１の記憶手段に対応付けて記憶されているスケジュール内容と指定されたアイコンとを前記表示手段に表示させる第２の表示制御手段と、
この第２の表示制御手段の制御により表示されたアイコンの中から当該アイコンと対応付けて記憶されているスケジュール内容を変更しようとするアイコンを選択する選択手段と、
この選択手段により選択されたアイコンに対し、当該アイコンと対応付けて記憶されているスケジュール内容と異なるスケジュール内容を入力する入力手段と、
この入力手段により入力された前記異なるスケジュール内容と前記第２の表示制御手段の制御により表示されているアイコンとを対応付けて登録する登録手段と、
前記選択手段により選択されたアイコンに登録されたスケジュール内容が変更された旨を指示する変更フラグと前記入力手段により入力されたスケジュール内容とが格納されたスケジュール内容設定記憶手段と、
を具備することを特徴とする。
【０００６】
請求項２記載の発明による携帯電子機器は、
請求項１記載の携帯電子機器において、前記登録手段に対応付けて記憶されている前記異なるスケジュール内容を前記カレンダともに前記表示手段に表示させる第３の表示制御手段を更に具備することを特徴とする。
【０００７】
また、請求項３記載の発明による携帯電子機器は、請求項１又は２記載の携帯電子機器において、
前記スケジュール内容は、文字で表されていることを特徴とする。
【０００８】
また、請求項４記載の発明による携帯電子機器は、請求項１から３記載の携帯電子機器において、前記スケジュール内容は、音声データであり、この音声データを発音する発音手段を更に具備することを特徴とする。
【０００９】
また、請求項５記載の発明による携帯電子機器は、請求項４記載の携帯電子機器において、外部からの音声を入力する音声入力手段と、前記スケジュール内容を前記音声入力手段から入力した音声データに置き換える置換手段とを更に具備することを特徴とする。
【００１４】
【作用】
本発明では、カレンダを含むデータを表示する表示手段を備えている携帯電子機器において、スケジュール内容記憶手段は、予め決められたスケジュール内容とこのスケジュール内容を想定し得る図柄で表現されたアイコンとが複数組対応づけて格納されている。
設定日指定手段は、前記表示手段に表示されているカレンダに、スケジュール内容を設定したい設定日を指定する。第１の表示制御手段は、前記スケジュール内容記憶手段に記憶されている複数のアイコンを前記表示手段に表示させる。
アイコン指定手段は、この第１の表示制御手段の制御により表示されている複数のアイコンの中から一つのアイコンを指定する。
記憶手段は、このアイコン指定手段により指定されたアイコンに対応するスケジュール内容を前記スケジュール内容記憶手段から読み出しこの読み出されたスケジュール内容と前記アイコン指定手段により指定されたアイコンとを、前記指定手段により指定された設定日にそれぞれ対応付けて記憶する。
第２の表示制御手段は、この記憶手段に前記読み出されたスケジュール内容と前記指定されたアイコンとを対応付けて記憶した後に、当該第１の記憶手段に対応付けて記憶されているスケジュール内容と指定されたアイコンとを前記表示手段に表示させる。
選択手段は、この第２の表示制御手段の制御により表示されたアイコンの中から当該アイコンと対応付けて記憶されているスケジュール内容を変更しようとするアイコンを選択する。
入力手段は、この選択手段により選択されたアイコンに対し、当該アイコンと対応付けて記憶されているスケジュール内容と異なるスケジュール内容を入力する。
登録手段は、この入力手段により入力された前記異なるスケジュール内容と前記第２の表示制御手段の制御により表示されているアイコンとを対応付けて登録する。
スケジュール内容設定記憶手段は、前記選択手段により選択されたアイコンに登録されたスケジュール内容が変更された旨を指示する変更フラグと前記入力手段により入力されたスケジュール内容とを格納する。
【００１５】
【実施例】
以下、図面を参照して本発明の実施例について説明する。
Ａ．実施例の構成
Ａ−１．携帯電子機器の構成
図１は本発明の実施例による携帯電子機器の構成を示すブロック図である。図において、１は操作部であり、文字や、コマンドを入力するキー等から構成され、文字やコマンドのコードをＣＰＵ（中央処理装置）２へ供給する。ＣＰＵ２は所定のプログラムを実行することにより当該携帯電子機器の各部を制御する。例えば、操作部１による操作に応じて後述する表示部７の表示を切り替えたり、任意の月日のカレンダを生成し、表示部７に表示させたりする。ＲＯＭ３は、上記ＣＰＵ２により実行されるプログラムや、各種パラメータ等が記憶されている。例えば、スケジュール内容が予め登録された、後述するアイコンや、当該携帯電子機器の動作、機能を指示するメニューアイコンを、他の図柄のアイコンに置き換える際に、予め設定されたアイコンとは異なる図柄からなる複数のアイコンが格納されている。ＲＡＭ４は、上記ＣＰＵ２による処理によって生じるデータが格納されるワークエリアとして用いられる。なお、上記異なる図柄からなる複数のアイコンは、ＲＡＭ４に記憶されるようにしてもよい。
【００１６】
次に、５は、アイコンスケジュール内容デフォルトテーブルであり、ＲＯＭから構成され、予め複数のアイコンと、該アイコンに対応して予め設定されたスケジュール内容が格納されている。上記アイコンは、スケジュール内容を想定し得る図柄で表現された、例えばビットマップデータである。また、６は、アイコンスケジュール内容設定テーブルであり、書き換え可能なＲＡＭから構成され、上記アイコンに設定されたスケジュール内容を変更する場合に、ユーザにより操作部１等を介して入力された新たなスケジュール内容が格納される。なお、上記アイコンスケジュール内容デフォルトテーブル５およびアイコンスケジュール内容設定テーブルの詳細な構成については後述する。７は、ＬＣＤ（液晶表示装置）等から構成される表示部であり、ＣＰＵ２から供給されるデータに従って、任意のカレンダ、アイコン、スケジュール内容等を表示する。次に、８は、スピーカであり、後述する変形例においてスケジュール内容を音声データとした場合に、該音声データを発音する。また、９は、マイクロフォンであり、同変形例において予め設定された音声データに代えて、他の音声をアイコンに割り当てるために、外部から音声を取り込む。
【００１７】
Ａ−２．アイコンスケジュール内容デフォルトテーブルの構成
次に、図２（ａ）は上述したアイコンスケジュール内容デフォルトテーブル５のデータ構成を示す模式図であり、図２（ｂ）はアイコンスケジュール内容デフォルトテーブル５に格納されたアイコンが表示された表示部７の模式図である。図において、アイコンスケジュール内容デフォルトテーブル５には、スケジュール内容を視覚的に表すアイコン（ビットマップデータ）と、それに対応する文字からなるスケジュール内容とが格納されている。アイコンはそれぞれに個別に付けられたアイコンＮｏ．により管理されている。例えば、図において、アタッシュケースの図柄からなるアイコン、すなわちアタッシュケースアイコンには、アイコンＮｏ．として「１」、「出張の予定です」というスケジュール内容が設定されている。
【００１８】
また、人の横顔の図柄からなるアイコン、すなわち上司アイコンには、アイコンＮｏ．として「２」、「会議の予定です」というスケジュール内容が設定されている。以下、ノートアイコンには、アイコンＮｏ．「３」、スケジュール内容「講習の予定です」、受話器アイコンには、アイコンＮｏ．「４」、スケジュール内容「電話の予定です」、飛行機アイコンには、アイコンＮｏ．「５」、スケジュール内容「旅行の予定です」が設定されている。いずれのアイコンも、そのアイコンに設定されたスケジュール内容が視覚的に容易に分かるような図柄となっている。また、スケジュール内容は、いずれも文字データとして格納されている。
【００１９】
また、同図下部に示すカレンダー表示画面は、前述した表示部７の表示例を示す模式図である。表示部７には、当月のカレンダーが表示されており、点滅（ブリンク）している日が当日に当たる。また、表示部７の下部には、当日に設定されたアイコンと、そのアイコンに割り当てられたスケジュール内容が文字で表示されている。図示の例では、６日が当日であり、この日には、上司アイコンと、このアイコンにデフォルト値として設定されている「会議の予定です」というスケジュール内容とが設定されている。
【００２０】
Ａ−３．アイコンスケジュール内容設定テーブルの構成
次に、図３は上述したアイコンスケジュール内容設定テーブル６のデータ構成を示す模式図である。図において、アイコンスケジュール内容設定テーブル６は、上述したアイコンＮｏ．と、スケジュール内容が変更されたか否かを示す変更フラグと、変更内容とから構成されている。変更フラグは、「ＯＮ」もしくは「ＯＦＦ」のいずれかの状態をとり、スケジュール内容が変更されると「ＯＮ」となる。また、変更内容には、変更されたスケジュール内容が格納されるようになっている。
【００２１】
Ｂ．実施例の動作
次に、上述した実施例の動作について説明する。電源が投入されると、通常、表示部７には、図５（ａ）に示すように、携帯電子機器の機能を動作させるためのメニューアイコンが表示される。図示の例では、電話の図柄からなるメニューアイコンは電話をかけるために、電話帳（住所録）を表示させる機能であり、地球儀と時計の図柄からなるメニューアイコンは世界時計を表示させる機能、カレンダーの図柄からなるメニューアイコンはカレンダーとスケジュールを表示させる機能、加減乗除の演算子の図柄からなるメニューアイコンは計算を行う機能、時計の図柄からなるメニューアイコンは時刻設定や、ストップウォッチ、アラームを動作させる機能、メモ用紙の図柄からなるメニューアイコンはメモを入力、編集、表示させる機能、「ＩＣＯＭ」と文字が書かれたメニューアイコンは後述するアイコンに割り当てるスケジュール内容を設定する機能、本の図柄からなるメニューアイコンは国語辞書、英和辞書、和英辞書など辞書を呼び出す機能である。
【００２２】
（ａ）スケジュールの設定
まず、スケジュールの設定処理について説明する。図４はスケジュールの設定処理を説明するためのフローチャートである。上記アイコンが表示された状態において、まず、図４に示すステップＳ１０で、ユーザによりタッチまたはペンによりカレンダアイコンを選択させる。この選択により、ステップＳ１２において、図５（ａ）に示すように、メニューアイコンを反転表示させた後、ステップＳ１４へ進み、図５（ｂ）に示すように、表示部７に当月のカレンダを表示させる。次に、ステップＳ１６において、表示日（レジスタ）に設定された日の数字を点滅表示させる。この表示日には、初期値として当日（この例では６日）の「６」が設定されているので、この場合、図５（ｂ）に示すように、「６」が点滅表示される。なお、上述したステップＳ１４が請求項のカレンダ生成手段に相当する。
【００２３】
次に、ステップＳ１８において、表示日に、既に何らかのスケジュールが設定されているか否かを判断する。そして、何らかのスケジュールが既に設定されている場合には、ステップＳ１８における判断結果は「ＹＥＳ」となり、ステップＳ２０に進む。ステップＳ２０では、表示日に設定されているアイコンおよびそのスケジュール内容をアイコンスケジュール内容デフォルトテーブル５およびアイコンスケジュール内容設定テーブル６を参照することによりカレンダの下部に表示する。一方、まだ、スケジュールが設定されていない場合には、ステップＳ１８における判断結果は「ＮＯ」となり、アイコンおよびスケジュール内容は表示されない。
【００２４】
次に、ステップＳ２２において、ユーザにスケジュールを設定する設定日を入力させる。なお、設定日の入力は、キー入力、タッチ入力、もしくはペン入力のいずれの方式であってもよい。次いで、ステップＳ２４において、操作部１に設けられた設定キーが押下されたか否かを判断する。そして、設定キーが押下されない場合には、ステップＳ２４における判断結果は「ＮＯ」となり、ステップＳ２６へ進む。ステップＳ２６では、操作部１に設けられた終了キーが押下された否かを判断する。そして、終了キーが押下されない場合には、ステップＳ２６における判断結果は「ＮＯ」となり、ステップＳ１６へ戻る。以下、ステップＳ１６〜Ｓ２６を繰り返し実行する。したがって、ユーザが設定日を入力する度に、その日が点滅表示されるとともに、その日に設定されているアイコンおよびそのスケジュール内容が表示される。
【００２５】
ここで、ユーザが設定日を入力した後、設定キーを押下すると、ステップＳ２４における判断結果が「ＹＥＳ」となり、ステップＳ２８へ進む。ステップＳ２８では、スケジュールを設定すべき時刻をユーザに入力させる。時刻は、操作部１の数字キーにより、例えば「ＡＭ１０：００〜ＡＭ１１：００」というように入力される。次に、ステップＳ３０へ進み、表示部７に、図５（ｃ）に示すように、アイコンスケジュール内容デフォルトテーブル５に格納されているアイコンおよびそれに対応するスケジュール内容を表示させる。図示の例では、アタッシュケースアイコンと「出張の予定です」というスケジュール内容、上司アイコンと「会議の予定です」というスケジュール内容、およびノートアイコンと「講習の予定です」というスケジュール内容が表示されている。これ以外にも、図２に示すアイコンおよびそれに対応するスケジュール内容を表示させてもよいし、スクロールキー、あるいは「次頁」なるキーを押下させるか、もしくはタッチ、もしくはペンによりその旨を指示させることにより、他のアイコンを表示するようにしてもよい。
【００２６】
次に、ステップＳ３２において、表示部７に表示されているアイコンの中から、設定すべきスケジュール内容に対応するアイコンをユーザに選択させる。このステップＳ３２は、操作部１およびＣＰＵ２とともに、請求項記載の設定手段に相当する。このアイコンの選択も、キー入力、タッチ入力、あるいはペン入力のいずれの方式であってもよい。アイコンが選択されると、ステップＳ３４において、選択されたアイコンおよびそのスケジュール内容を、図５（ｃ）に示すように反転表示する。次いで、前述したステップＳ２２で入力された設定日、ステップＳ２８で入力された時刻に、上記ステップＳ３２で選択されたアイコン、およびそのスケジュール内容を設定した後、ステップＳ１４へ戻る。この結果、表示部７には、図５（ｄ）に示すように、カレンダが表示されるとともに、上述した処理で設定されたアイコンおよびそのスケジュール内容が表示される。
【００２７】
上述した処理に引き続き、さらにスケジュールを設定するには、ステップＳ２２で設定日、ステップＳ２８で時刻、ステップＳ３２でアイコンを選択すればよい。そして、当該スケジュール設定処理を終了するには、操作部１に設けられた終了キーを押下する。終了キーが押下されると、ステップＳ２６における判断結果が「ＹＥＳ」となり、当該スケジュール設定処理を終了し、図５（ａ）に示すメニューアイコン表示に戻る。
【００２８】
（ｂ）スケジュール内容アイコン設定
次に、スケジュール内容の変更について説明する。図６はスケジュール内容アイコン設定処理を説明するためのフローチャートである。以下に述べるステップＳ５０〜Ｓ６２は、アイコンに設定されたスケジュール内容を変更するスケジュール内容アイコン設定処理である。まず、図５（ａ）に示す状態において、図示のステップＳ５０で、ユーザにより操作部１のカーソルキーや、タッチ入力またはペン入力によりＩＣＯＮアイコンを選択させる。ＩＣＯＮアイコンが選択されると、ステップＳ５２において、図７（ａ）に示すように、ＩＣＯＮアイコンを反転表示する。次に、ステップＳ５４において、表示部７に、図７（ｂ）に示すように、アイコンスケジュール内容デフォルトテーブル５に格納されているアイコンおよびそれに対応するスケジュール内容を表示させる。
【００２９】
なお、この時点で、既にスケジュール内容が変更されている場合には、アイコンＮｏ．をキーとして、アイコンスケジュール内容設定テーブル６を参照することにより、変更されたスケジュール内容を表示させる。図示の例では、アタッシュケースアイコンと「出張の予定です」というスケジュール内容、上司アイコンと「会議の予定です」というスケジュール内容、およびノートアイコンと「講習の予定です」というスケジュール内容が表示されている。これ以外にも、図２に示すアイコンおよびそれに対応するスケジュール内容を表示させてもよいし、スクロールキー、あるいは「次頁」なるキーを押下させるか、もしくはタッチ入力、もしくはペン入力によりその旨を指示させることにより、他のアイコンを表示するようにしてもよい。
【００３０】
次に、ステップＳ５６において、表示部７に表示されているアイコンの中から、設定すべきスケジュール内容に対応するアイコンをユーザに選択させる。なお、このステップＳ５６は、操作部１およびＣＰＵ２とともに、請求項記載の選択手段に相当する。このアイコンの選択も、キー入力、タッチ入力、あるいはペン入力のいずれの方式であってもよい。アイコンが選択されると、ステップＳ５８へ進み、図７（ｂ）に示すように、選択されたアイコンおよびそのスケジュール内容を反転表示する。次に、ステップＳ６０において、図７（ｃ）に示すように、選択したアイコンに設定したいスケジュール内容をユーザに入力させる。図示の例では、上司アイコンに「商品審議会の予定です」というスケジュール内容が入力されている。また、アイコンスケジュール内容設定テーブル６においては、図８に示すように、アイコンＮｏ．「２」の上司アイコンに対応する変更フラグが「ＯＮ」となり、変更されたスケジュール内容である「商品審議会の予定です」という内容が格納される。したがって、表示部７には、上記変更フラグを参照し、該変更フラグが「ＯＮ」である場合には、アイコンスケジュール内容設定テーブル６のスケジュール内容をカレンダとともに表示される。
【００３１】
ステップＳ６０の処理が終了すると、ステップＳ６２へ進み、終了キーが押下されたか否かを判断する。そして、終了キーが押下されない場合には、ステップＳ６２における判断結果が「ＮＯ」となり、ステップＳ５６へ戻る。そして、ステップＳ５６〜Ｓ６０を繰り返し、アイコンのスケジュール内容の変更を続ける。一方、終了キーが押下されると、ステップＳ６２における判断結果が「ＹＥＳ」となり、当該スケジュール内容設定処理を終了する。
【００３２】
（ｃ）アイコンの変更
次に、アイコンの変更について説明する。図９はアイコン変更処理を説明するためのフローチャートである。以下に述べるステップＳ８０〜Ｓ１０２は、メニューアイコン、もしくはスケジュール設定に用いるアイコンを変更するアイコン設定処理である。まず、図５（ａ）に示す状態において、図示のステップＳ８０で、ユーザにより操作部１のカーソルキーや、タッチ入力またはペン入力によりアイコンを変更するためのメニューアイコン（図示略）を選択させる。変更用のメニューアイコンが選択されると、ステップＳ８２へ進み、選択された変更用のメニューアイコンを反転表示させる。次に、ステップＳ８４へ進み、図１０（ａ）に示すように、メニューアイコンもしくはスケジュールアイコン等、登録されたアイコンを表示部７に表示させる。次に、ステップＳ８６へ進み、変更しようとするアイコンをユーザにより選択させる。変更しようとするアイコンが選択されると、ステップＳ８８へ進み、そのアイコンを反転表示させる。図１０（ａ）では、相性占いのメニューアイコンが選択され、反転表示されている。
【００３３】
次に、ステップＳ９０へ進み、操作部１に設けられた変換キーが押下されたか否かを判断する。そして、変換キーが押下されていない場合には、ステップＳ９０における判断結果が「ＮＯ」となり、同ステップＳ９０を繰り返し実行する。一方、変換キーが押下されると、ステップＳ９０における判断結果が「ＹＥＳ」となり、ステップＳ９２へ進む。ステップＳ９２では、図１０（ｂ）に示すように、表示部７に変更用に登録されている変更用アイコンを表示させる。変更用アイコンとしては、図１０（ｂ）に示すように、複数のアイコンが登録されており、図示の例では、ハートの図柄、音符の図柄、花の図柄等が用意されている。
【００３４】
次に、ステップＳ９４へ進み、表示部７に表示された変更用アイコンの中から所望するアイコンをユーザにより選択させる。なお、このステップＳ９４は、操作部１およびＣＰＵ２とともに、請求項記載の変更アイコン選択手段に相当する。変更後のアイコンが選択されると、ステップＳ９６へ進み、図１０（ｂ）に示すように、選択されたアイコンを反転表示させる。次に、ステップＳ９８において、操作部１に設けられたＯＫキーが押下されたか否かを判断する。そして、ＯＫキーが押下されていない場合には、ステップＳ９８における判断結果は「ＮＯ」となり、ステップＳ９４へ戻る。以下、図１０（ｂ）の状態で、他のアイコンを選択すれば、そのアイコンが反転表示される。アイコンが所望するものであれば、ユーザによってＯＫキーが押下される。ユーザがＯＫキーが押下すると、ステップＳ９８における判断結果は「ＹＥＳ」となり、ステップＳ１００へ進む。ステップＳ１００では、図１０（ｃ）に示すように、表示部７に変更後のアイコンを表示させるとともに、変更後のアイコンを点滅表示させる。そして、ステップＳ１０２において、変更後のアイコンを登録する。なお、このステップＳ１０２は、操作部１およびＣＰＵ２とともに、請求項記載のアイコン変更手段に相当する。
【００３５】
Ｃ．変形例
次に、上述した実施例の変形例として、スケジュール内容を音声データとして記憶する場合について説明する。図１１はアイコンに音声データとして設定されているスケジュール内容を示す模式図である。この変形例では、上述した実施例で文字として格納されていたスケジュール内容を音声データとして、アイコンスケジュール内容デフォルトテーブル５に格納している。図示の例では、アタッシュケースアイコンには「出張」という音声データが格納されており、上司アイコンには「会議」という音声データが格納されている。以下同様に、ノートアイコンには「講習」、受話器アイコンには「電話」、飛行機アイコンには「旅行」、ゴルフアイコンには「ゴルフ」、テニスアイコンには「テニス」、宴会アイコンには「乾杯！宴会」、車アイコンには「ハッピードライブ」、そして、ケーキアイコンには「ハッピバスディートゥユゥ〜」という音声データが格納されている。
【００３６】
図１２は、上述した音声データが登録されたアイコンをスケジュールとしてカレンダに設定した場合の表示部７の表示例を示す模式図である。図において、音声データが登録されたアイコンを設定した場合には、カレンダの下部には、アイコンのみが表示される。そして、操作部１に設けられた再生キーが押下されると、設定されたアイコンに対応する音声データが連続して再生される。図示の例では、当日、もしくは指定された日として「４月６日は」、アイコンの音声データとして「会議」、「電話」、「講習」および「乾杯！宴会」、そして、「の予定です」という合成音声が図１に示すスピーカ８により発音される。
【００３７】
なお、上述した音声データは、前述した文字によるスケジュール内容の変更と同様に、図１３に示すように変更可能である。図１３の例では、飛行機アイコンの音声データを「海外出張」、アタッシュケースアイコンの音声データを「本社出張」、上司アイコンの音声データを「英語講習」、そして、受話器アイコンの音声データを「電話！電話！」に変更している。これら音声データは、図１に示すマイクロフォン９から取り込まれ、デジタルデータに変換された後、アイコンに対応させて格納される。これらアイコンはカレンダに適宜貼り付けられる。
【００３８】
このように、本実施例では、スケジュール内容をいちいち入力することなく、カレンダにアイコンを登録するだけで、予めアイコンに設定されているスケジュール内容を設定でき、スケジュールの入力を極めて容易に行うことができる。また、アイコン同士が類似し、各々のアイコンに設定されている機能や、スケジュール内容の確認が難しくなる場合には、アイコンを容易に変更することができるので、アイコンの内容を容易に認識できる。
【００３９】
【発明の効果】
本発明によれば、カレンダを含むデータを表示する表示手段を備えている携帯電子機器において、記憶されている複数のアイコンを表示させた後、この複数のアイコンの中から一つのアイコンを指定すると、この指定されたアイコンに対応するスケジュール内容をスケジュール内容記憶手段から読み出してくれるので、スケジュール内容をいちいち入力することなく、この読み出されたスケジュール内容と指定手段により指定されたアイコンとを、指定された設定日にそれぞれ対応付けて迅速かつ確実に記憶することができる。
また、本発明によれば、前記読み出されたスケジュール内容と前記指定されたアイコンとを対応付けて記憶した後に、対応付けて記憶されているスケジュール内容と指定されたアイコンとを表示させた後、表示されたアイコンの中から当該アイコンと対応付けて記憶されているスケジュール内容を変更しようとするアイコンを選択し、この選択されたアイコンに対し、当該アイコンと対応付けて記憶されているスケジュール内容と異なるスケジュール内容を入力すると、この入力された前記異なるスケジュール内容と前記表示されているアイコンとを対応付けて登録することができるとともに、選択されたアイコンに登録されたスケジュール内容が変更された旨を指示する変更フラグと入力手段により入力されたスケジュール内容とを格納することにより、スケジュール管理における操作性を向上させることができる。
【図面の簡単な説明】
【図１】本発明の実施例による携帯電子機器の構成を示すブロック図である。
【図２】（ａ）は上述したアイコンスケジュール内容デフォルトテーブル５のデータ構成を示す模式図であり、（ｂ）はアイコンスケジュール内容デフォルトテーブル５に格納されたアイコンが表示された表示部の模式図である。
【図３】本実施例のアイコンスケジュール内容設定テーブル６のデータ構成を示す模式図である。
【図４】本実施例によるスケジュールの設定処理を説明するためのフローチャートである。
【図５】本実施例によるスケジュールの設定処理での表示部における表示例を示す模式図である。
【図６】本実施例によるスケジュール内容アイコン設定処理を説明するためのフローチャートである。
【図７】本実施例によるスケジュール内容アイコン設定処理での表示部における表示例を示す模式図である。
【図８】本実施例によるスケジュール内容アイコン設定処理でのアイコンスケジュール内容デフォルトテーブルとアイコンスケジュール内容設定テーブルとの関係を示す模式図である。
【図９】本実施例によるアイコン変更処理を説明するためのフローチャートである。
【図１０】本実施例によるアイコン変更処理での表示部における表示例を示す模式図である。
【図１１】本実施例の変形例でアイコンに音声データとして設定されているスケジュール内容を示す模式図である。
【図１２】本実施例の変形例で音声データが登録されたアイコンをスケジュールとしてカレンダに設定した場合の表示部の表示例を示す模式図である。
【図１３】本実施例の変形例で音声データを変更した場合の例を示す模式図である。
【符号の説明】
１  操作部（入力手段）
２  ＣＰＵ（カレンダ生成手段、設定手段、選択手段、変更アイコン選択手段、スケジュール内容変更手段、アイコン変更手段、置換手段）
３  ＲＯＭ（アイコン記憶手段）
４  ＲＡＭ
５  アイコンスケジュール内容デフォルトテーブル（スケジュール内容記憶手段）
６  アイコンスケジュール内容設定テーブル（スケジュール内容設定記憶手段）
７  表示部（表示手段）
８  スピーカ（発音手段）
９  マイクロフォン（音声入力手段）
【図１】
0003616851.tif 000002
【図２】
0003616851.tif 000003
【図３】
0003616851.tif 000004
【図４】
0003616851.tif 000005
【図５】
0003616851.tif 000006
【図６】
0003616851.tif 000007
【図７】
0003616851.tif 000008
【図８】
0003616851.tif 000009
【図９】
0003616851.tif 000010
【図１０】
0003616851.tif 000011
【図１１】
0003616851.tif 000012
【図１２】
0003616851.tif 000013
【図１３】
0003616851.tif 000014